(57)【要約】【課題】テレビ番組の視聴中に地震が発生した場合において、視聴中のテレビ番組を見逃さないように作用するテレビジョン受像機を提供する。【解決手段】テレビジョン受像機は、テレビジョン放送を受信する放送受信手段と、放送受信手段で受信されたテレビジョン放送から、画像情報及び音声情報に付加される付加情報を取得する付加情報取得手段と、付加情報取得手段で取得した付加情報に含まれる緊急地震速報を検知する緊急地震速報検知手段と、緊急地震速報検知手段によって緊急地震速報が検知された場合に、視聴中のテレビ番組の録画開始指示を行う録画指示手段と、を備える。【選択図】図２
2009105796.tif 000002
【特許請求の範囲】
【請求項１】
テレビジョン放送を視聴するためのテレビジョン受像機であって、
前記テレビジョン放送を受信する放送受信手段と、
前記放送受信手段で受信された前記テレビジョン放送から、画像情報及び音声情報に付加される付加情報を取得する付加情報取得手段と、
前記付加情報取得手段で取得した付加情報に含まれる緊急地震速報を検知する緊急地震速報検知手段と、
前記緊急地震速報検知手段によって緊急地震速報が検知された場合に、視聴中のテレビ番組の録画開始指示を行う録画指示手段と、
を備えることを特徴とするテレビジョン受像機。
【請求項２】
前記付加情報にはＥＰＧ（Electronic Program Guide）データが含まれ、
前記録画指示手段は、前記ＥＰＧデータによって得られる前記テレビ番組の終了時刻に録画を終了するように指示することを特徴とする請求項１に記載のテレビジョン受像機。
【請求項３】
前記放送受信手段で受信される放送が緊急放送であるか否かを確認する緊急放送確認手段を更に備え、
前記テレビ番組の途中に前記緊急放送が放送された場合には、前記録画指示手段は、録画終了時間の変更指示を行うことを特徴とする請求項２に記載のテレビジョン受像機。
【請求項４】
前記テレビジョン放送はデジタル放送であって、
前記終了時間の変更指示は、前記ＥＰＧデータに基づいて行われることを特徴とする請求項３に記載のテレビジョン受像機。
【請求項５】
テレビジョン放送番組の録画処理を行う録画処理手段を更に備え、
前記録画指示手段は、前記録画処理手段に録画開始の指示を行うことを特徴とする請求項１から４のいずれかに記載のテレビジョン受像機。
【発明の詳細な説明】
【技術分野】
【０００１】
本発明は、テレビジョン放送を受信するテレビジョン受像機に関し、詳細には、地震発生時に、視聴中の番組の自動録画を可能とする機能を備えたテレビジョン受像機に関する。
【背景技術】
【０００２】
近年、ビデオテープレコーダやＤＶＤレコーダ等の録画装置が普及している。録画装置のユーザは、テレビ番組の視聴中に、例えば現在視聴中のテレビ番組を改めて見たいと思った場合には、録画装置に対して視聴中の番組のチャンネル情報等を与えて、視聴中の番組の録画を行う。また、ユーザの都合によってリアルタイムでテレビ番組を見られない場合等にも、ユーザは、所定の情報を録画装置に事前に入力しておくことで自動的に録画を行える録画予約機能を使用して、所望のテレビ番組の録画を行う。
【０００３】
また、最近では、例えば特許文献１に示されるように、録画番組の途中に緊急放送が挿入されたような場合でも、目的の番組のみ記録可能な情報処理装置も提案され、ユーザは、視聴したいテレビ番組を見逃すことが少なくなっている。
【特許文献１】特開２００６−２３７９５５号公報
【発明の開示】
【発明が解決しようとする課題】
【０００４】
しかしながら、地震のような突発的な災害が発生した場合には、ユーザは即座に避難行動を行うために、現在視聴中のテレビ番組の録画開始を行う余裕などなく、そのテレビ番組を見逃すこととなる。また、２００７年１０月１日からは、気象庁によってテレビジョン放送を通じて緊急地震速報が提供されるために、ユーザはテレビ番組の視聴中に地震の発生を知り得る。しかし、緊急地震速報が提供されてから、実際に地震が起こるまでの時間は、数秒から数十秒である。このために、地震の発生を事前に知ったとしても避難行動が優先であり、現在視聴中のテレビ番組を録画するための操作を行うことは、到底不可能である。
【０００５】
以上の問題点を鑑みて、本発明の目的は、テレビ番組の視聴中に地震が発生した場合において、視聴中のテレビ番組を見逃さないように作用するテレビジョン受像機を提供することである。
【課題を解決するための手段】
【０００６】
上記目的を達成するために本発明は、テレビジョン放送を視聴するためのテレビジョン受像機であって、前記テレビジョン放送を受信する放送受信手段と、前記放送受信手段で受信された前記テレビジョン放送から、画像情報及び音声情報に付加される付加情報を取得する付加情報取得手段と、前記付加情報取得手段で取得した付加情報に含まれる緊急地震速報を検知する緊急地震速報検知手段と、前記緊急地震速報検知手段によって緊急地震速報が検知された場合に、視聴中のテレビ番組の録画開始指示を行う録画指示手段と、を備えることを特徴としている。
【０００７】
これによれば、テレビ番組の視聴中に地震が発生した場合にも、緊急地震速報と連動して視聴中のテレビ番組を自動的に録画することが可能となる。このために、テレビ番組の視聴中に地震が発生した場合にも、視聴中のテレビ番組を見逃さないようにできる。
【０００８】
また、本発明は、上記構成のテレビジョン受像機において、前記付加情報にはＥＰＧ（Electronic Program Guide）データが含まれ、前記録画指示手段は、前記ＥＰＧデータによって得られる前記テレビ番組の終了時刻に録画を終了するように指示するのが好ましい。これによれば、ＥＰＧデータに基づいてテレビ番組の終了時刻を確認し、その時間に録画を終了する構成であるために、余分な録画を行わないようにできる。
【０００９】
また、本発明は、上記構成のテレビジョン受像機において、前記放送受信手段で受信される放送が緊急放送であるか否かを確認する緊急放送確認手段を更に備え、前記テレビ番組の途中に前記緊急放送が放送された場合には、前記録画指示手段は、録画終了時間の変更指示を行うこととしてもよい。これによれば、地震の発生に伴って、地震発生時に視聴していたテレビ番組の途中に緊急放送が放送されるような場合においても、視聴していたテレビ番組を最後まで録画する（番組の途中で録画が終らないことを意味する）ことが可能となる。したがって、テレビ番組の視聴中に地震が発生した場合に、視聴中のテレビ番組を見逃さない確率を高められる。
【００１０】
また、本発明は、上記構成のテレビジョン受像機において、前記テレビジョン放送はデジタル放送であって、前記終了時間の変更指示は、前記ＥＰＧデータに基づいて行われることとしてもよい。デジタル放送の場合にはＥＰＧデータが随時更新される。したがって、本発明の構成により、地震の発生に伴って、視聴していたテレビ番組の途中に緊急放送が放送されるような場合においても、視聴していたテレビ番組を最後まで録画することが可能となる。
【００１１】
また、本発明は、上記構成のテレビジョン受像機において、テレビジョン放送番組の録画処理を行う録画処理手段を更に備え、前記録画指示手段は、前記録画処理手段に録画開始の指示を行うこととしてもよい。これによれば、テレビジョン受像機と録画装置を通信手段で接続する必要がない。
【発明の効果】
【００１２】
本発明によれば、テレビ番組の視聴中に地震が発生した場合において、視聴中のテレビ番組を見逃さないように作用するテレビジョン受像機を提供することができる。
【発明を実施するための最良の形態】
【００１３】
以下、本発明のテレビジョン受像機の実施形態について、図面を参照しながら詳細に説明する。
【００１４】
（第１実施形態）
図１は、第１実施形態のテレビジョン受像機の構成を示すブロック図である。なお、図１において、点線の矢印は、第１実施形態のテレビジョン受像機１によって受信されたテレビジョン放送（本実施形態では、デジタル放送とする）のデータの流れを示している。また、実線は、テレビジョン受像機１が備える制御部１１が、各部に対して制御信号等を送受信するための通信バスを示している。
【００１５】
第１実施形態のテレビジョン受像機１は、制御部１１と、記憶部１２と、操作部１３と、チューナ１４と、信号処理部１５と、デコーダ１６と、Ｄ／Ａ変換部１７と、音声出力部１８と、スピーカ１９と、画像再生部２０と、画像出力部２１と、ディスプレイ２２と、録画処理部２３と、を備える。
【００１６】
制御部１１は、例えば複数のマイクロプロセッサで構成され、各部の制御やデータの計算、加工処理等を行う中枢部となっている。そして、制御部１１は、テレビジョン受像機１の各部材の駆動を制御することにより、テレビジョン放送の受信や、受信したテレビジョン放送の表示処理等を統括制御する。また、本実施形態においては、テレビジョン受像機１はテレビ番組の録画を行う機能も備えており、制御部１１は録画処理についても統括制御している。更に、その詳細は後述するが、緊急地震速報があった場合に、その時点で視聴しているテレビ番組について、自動録画を行うように指示を行う構成ともなっている。
【００１７】
記憶部１２は、ＲＯＭ（Read Only Memory）及びＲＡＭ（Random Access Memory）からなる。ＲＯＭには、制御部１１が各種処理を行う上で必要となる各種のパラメータや動作プラグラムが記憶される。ＲＡＭは、テレビジョン受像機１が保持する各種データを一時的に保持し、例えば制御部１１によって各種情報処理が行われる際の処理データや、ユーザから受けた指示命令等を一時的に記憶しておくためのバッファメモリとして機能する。
【００１８】
操作部１３は、ユーザがテレビ番組の視聴等を行うために各種指示をテレビジョン受像機１に対して与えるためのものである。操作部１３により出力された指示は、制御部１１により受け付けられる。指示を受けた制御部１１は、指示の内容に基づいて選局処理や音量調整処理等を行う。
【００１９】
チューナ１４は、図示しないテレビジョン放送の放送波を受信するアンテナと接続されており、テレビジョン放送の選局（チャンネルの選択）を可能とする。また、チューナ１４は、高周波信号の受信を行うとともに、高周波信号の増幅及び周波数変換を行うことにより、中間周波信号を得る。得られた中間周波信号は、次に説明する信号処理部１５に与えられる。
【００２０】
信号処理部１５は、チューナ１４から入力された中間周波信号の増幅及び検波を行う。これにより、ＭＰＥＧ２方式のデジタル伝送信号であるトランスポートストリーム（Transport Stream ; ＴＳ）が取り出される。なお、ＴＳは、音声ＰＥＳ（Packetized Elementary Stream）、画像ＰＥＳ、及び付加情報が固定長のトランスポートパケット（Transport packet）に分割され、それがつなぎ合わされた構造となっている。信号処理部１５により取得された各種信号は、デコーダ１６に与えられる。
【００２１】
デコーダ１６は、信号処理部１５から与えられた信号から画像信号及び音声信号を生成する。また、これに合わせて、与えられた信号に含まれる画像情報や音声情報以外の情報である付加情報を抽出する。付加情報には、例えば、データ放送用の文字情報等が含まれる。
【００２２】
具体的には、デコーダ１６は、信号処理部１５より与えられたＴＳをトランスポートパケットに分割する。そして、トランスポートパケットを再結合することにより、音声・画像のＰＥＳを生成し、更にＰＥＳを結合することにより、符号化された音声・画像データであるエレメンタリーストリーム（Elementary Stream ; ＥＳ）を生成する。その後、ＥＳの復号を行い、デジタル信号に変換する。得られたデジタル信号のうち、デジタル音声信号は、Ｄ／Ａ変換部１７へ、デジタル画像信号は画像再生部２０へ与えられる。
【００２３】
また、デコーダ１６は、ＴＳに含まれるＰＳＩ（Program Specific Information）やＳＩ（Service Information）といった付加情報の抽出も行う。ＳＩには、例えば電子番組表（Electronic Program Guide ; ＥＰＧ）を表示するためのＥＰＧデータや、緊急地震速報を表示するためのデータ等が含まれている。デコーダ１６によって抽出された付加情報は、制御部１１に与えられる。
【００２４】
Ｄ／Ａ変換部１７は、デコーダ１６より与えられたデジタル音声信号をアナログ音声信号に変換し、音声出力部１８に与える。音声出力部１８は、与えられたアナログ音声信号をスピーカ１９によって音声として出力する。
【００２５】
画像再生部２０は、デコーダ１６より与えられた画像信号を原色信号に変換し、画像出力部２１に与える。画像出力部２１は、与えられた原色信号にしたがって、ディスプレイ２２を用いて画像を表示する。
【００２６】
録画処理部２３は、ユーザがテレビ番組の録画を行いたい場合に、テレビジョン放送を録画処理する機能を有する。録画処理部２３は、公知のＤＶＤレコーダ、ＢＤレコーダ、ハードディスク内蔵型ＤＶＤレコーダ、ビデオテープレコーダ等の録画機器のうちのいずれかと同様の録画機能を有するように構成されているために、ここでは、その詳細な説明は省略する。
【００２７】
第１実施形態のテレビジョン受像機１の全体構成は以上のようである。次に、テレビ番組の視聴中に緊急地震速報が報じられた場合に、視聴中のテレビ番組の自動録画を可能とする構成について説明する。
【００２８】
図２は、第１実施形態のテレビジョン受像機１が備える制御部１１において、緊急地震速報が報じられた場合に、視聴中のテレビ番組の自動録画を可能とする構成要素を示したブロック図である。図２に示すように、制御部１１には、付加情報受信部１１１と、緊急地震速報検知部１１２と、録画指示部１１３と、が備えられ、これらの作用によって、テレビ番組の視聴中に緊急地震速報が報じられた場合に、視聴中のテレビ番組の自動録画が可能となっている。
【００２９】
付加情報受信部１１１は、デコーダ１６によって抽出されたＰＳＩやＳＩといった付加情報を受信する。
【００３０】
緊急地震速報検知部１１２は、付加情報受信部１１１から付加情報を受け取り、付加情報の中に、緊急地震速報（２００７年１０月１日より気象庁が開始）であることを示す情報が含まれるか否かを確認する。そして、緊急地震速報であることを示す情報が含まれる場合に、緊急地震速報が報じられたことを検知する。緊急地震速報検知部１１２は、緊急地震速報１１２が報じられたことを検知すると、その旨を伝える信号を録画指示部１１３に与える。
【００３１】
録画指示部１１３は、緊急地震速報検知部１１２から信号を受け取ると、現在視聴中のテレビ番組について、録画を開始するように録画処理部２３に指示を与える。また、録画指示部１１３は、付加情報受信部１１１によって受信されたＥＰＧデータを取得し、現在視聴中のテレビ番組に関する情報（例えば、番組名、番組の開始時間・終了時間等が含まれる）の中から、番組の終了時間を取得する。そして、取得した番組の終了時間に録画が終了するように録画処理部２３に指示を与える。
【００３２】
なお、録画指示部１１３が録画処理部２３に指示を与える際に、チャンネル情報（記憶部１２に記憶される）等の他の情報が含まれる構成であっても構わない。
【００３３】
次に、第１実施形態のテレビジョン受像機１において、テレビ番組の視聴中に緊急地震速報が報じられた場合に、視聴中のテレビ番組の自動録画が行われる手順について、図３に示すフローチャートを参照しながら説明する。
【００３４】
まず、テレビ番組の視聴が開始される（ステップＳ１）。テレビ番組の視聴が行われていない場合には、視聴中のテレビ番組を自動録画するという状況はなく、テレビ番組の視聴は前提条件である。
【００３５】
テレビ番組の視聴が開始されると、緊急地震速報検知部１１２によって、デコーダ１６から送られてくる付加情報に緊急地震速報に関する情報が含まれるか否か（緊急地震速報であることを示す情報が検知されるか否か）が確認される（ステップＳ２）。緊急地震速報が検知されない場合は、自動録画に関する処理は行われず、緊急地震速報検知部１１２は付加情報の監視を続ける。
【００３６】
緊急地震速報検知部１１２によって緊急地震速報であることを示す情報が検知されると、録画指示部１１３から録画開始を行うように、録画処理部２３に指示が与えられる。この際、録画指示部１１３は、付加情報受信部１１１からＥＰＧデータを取得して、視聴中のテレビ番組の終了時間を取得する。そして、取得した終了時間に録画が終了するように、録画指示部１１３は録画処理部２３に指示を与える（ステップＳ３）。
【００３７】
録画指示部１１３によって録画開始の指示が与えられると、録画処理部２３は、現在視聴中のテレビ番組の録画処理を開始する（ステップＳ４）。録画処理が開始されると、先程録画指示部１１３によって指示された終了時間であるか否かが確認される（ステップＳ５）。なお、この確認は、本実施形態においては制御部１１によって行われ、時刻は、例えばテレビジョン受像機１に内蔵される時計（図示せず）によって把握される。
【００３８】
録画終了時間でない場合には、上述の確認を行いながら録画が続けられ、録画終了時間になると、録画処理部２３による録画処理が終了する。以上のように、第１実施形態のテレビジョン受像機１は、緊急地震放送が報じられると、現在視聴中のテレビ番組について自動的に録画処理が行われるように指示を与える構成となっている。このために、地震発生時においてもテレビ番組を見逃さないようにできる。
【００３９】
（第２実施形態）
地震が発生した場合には、番組の途中で緊急放送が挿入される場合がある。第１実施形態のテレビジョン受像機１の場合、緊急放送が挿入されると、自動録画を開始したテレビ番組について途中までしか録画されず、一部を見逃す可能性がある。第２実施形態のテレビジョン受像機は、この点を考慮し、テレビ番組の全てを見逃さないように構成されている。
【００４０】
第２実施形態のテレビジョン受像機の構成は、制御部１１の一部構成を除いて、第１実施形態のテレビジョン受像機１と同様の構成である。したがって、同一の部分については同一の符号を付し、特に説明の必要がない場合には、その説明を省略する。
【００４１】
図４は、第２実施形態のテレビジョン受像機が備える制御部１１において、緊急地震速報が報じられた場合に、視聴中のテレビ番組の自動録画を可能とする構成要素を示したブロック図である。図４に示すように、制御部１１には、付加情報受信部１１１と、緊急地震速報検知部１１２と、緊急放送検知部１１４、録画指示部１１５と、が備えられる。そして、これらの作用によって、テレビ番組の視聴中に緊急地震速報が報じられた場合に、視聴中のテレビ番組の自動録画が可能となっており、更に、番組の途中で緊急放送が放送される場合にも番組の録画が不十分とならない構成となっている。
【００４２】
付加情報受信部１１１と緊急地震速報検知部１１２は、第１実施形態と同様の構成であるために、その説明は省略する。
【００４３】
緊急放送検知部１１４は、付加情報受信部１１１から付加情報を受け取り、付加情報の中に含まれる緊急放送に関する情報を検出する。緊急放送の放送中には、例えば緊急放送を放送中であるか否かを示す緊急放送フラグ（緊急放送記述子からなる識別子）が付加情報として含まれる。また、緊急放送の種類を示す緊急放送識別情報や、どの地域に関する情報であるかを示す地域識別情報（例えば、全国、広域、県域等）の情報が付加情報として含まれる。このために、緊急放送検知部１１４は、付加情報を解析して、現在放送されている番組が緊急放送であるか否かを検知できる。緊急放送検知部１１４は、緊急放送であることを検知すると、その旨を伝える信号を録画指示部１１５に与える。
【００４４】
録画指示部１１５は、第１実施形態のテレビジョン受像機１と同様に、緊急地震速報検知部１１２から信号を受け取ると、現在視聴のテレビ番組について、録画を開始するように録画処理部２３に指示を与える。また、録画指示部１１３は、付加情報受信部１１１によって受信されたＥＰＧデータを取得し、現在視聴中のテレビ番組に関する情報（例えば、番組名、番組の開始時間・終了時間等が含まれる）の中から、番組の終了時間を取得する。そして、取得した番組の終了時間に録画が終了するように録画処理部２３に指示を与える。
【００４５】
また、録画指示部１１５は、緊急放送検知部１１４から信号を受け取ると、緊急放送の挿入によって変更された電子番組表（ＥＰＧデータ）を、付加情報受信部１１１から受け取り、緊急地震速報が報じられた時点で視聴していたテレビ番組の終了時間を取得する。なお、場合によっては、緊急地震速報が報じられた時点で視聴していたテレビ番組の放送が中止されるような場合も考えられ、この場合は、それがわかった時点で録画を終了する等してもよい。
【００４６】
次に、第２実施形態のテレビジョン受像機において、テレビ番組の視聴中に緊急地震速報が報じられた場合に、視聴中のテレビ番組の自動録画が行われる手順について、図５に示すフローチャートを参照しながら説明する。
【００４７】
まず、テレビ番組の視聴が開始される（ステップＳ１１）。テレビ番組の視聴が行われていない場合には、視聴中のテレビ番組を自動録画するという状況はなく、テレビ番組の視聴は前提条件である。
【００４８】
テレビ番組の視聴が開始されると、緊急地震速報検知部１１２によって、デコーダ１６から送られてくる付加情報に緊急地震速報に関する情報が含まれるか否か（緊急地震速報であることを示す情報が検知されるか否か）が確認される（ステップＳ１２）。緊急地震速報が検知されない場合は、特に自動録画に関する処理は行われず、緊急地震速報検知部１１２は付加情報の監視を続ける。
【００４９】
緊急地震速報検知部１１２によって緊急地震速報であることを示す情報が検知されると、録画指示部１１５から録画開始を行うように、録画処理部２３に指示が与えられる。この際、録画指示部１１５は、付加情報受信部１１１からＥＰＧデータを取得して、視聴中のテレビ番組の終了時間を取得する。そして、取得した終了時間に録画が終了するように、録画指示部１１５は録画処理部２３に指示を与える（ステップＳ１３）。
【００５０】
録画指示部１１５によって録画開始の指示が与えられると、録画処理部２３は、現在視聴中のテレビ番組の録画処理を開始する（ステップＳ１４）。録画処理が開始されると、緊急放送検知部１１４によって、デコーダ１６から送られてくる付加情報に緊急放送であることを示す情報が含まれるか否かが確認され、緊急放送が開始された否かが確認される（ステップＳ１５）。
【００５１】
緊急放送検知部１１４によって緊急放送が開始されたと確認された場合には、録画指示部１１５は、付加情報受信部１１１からＥＰＧデータを取得する。そして、取得したＥＰＧデータが、緊急放送が始まる前と変更されているかを確認する。緊急放送が始まる前と同じ場合には、ＥＰＧデータが変更されるまでこの動作を繰り返す。そして、ＥＰＧデータが変更されると、録画指示部１１５は、変更された電子番組表（ＥＰＧデータ）にしたがって、録画処理部２３に対して当初予定していた録画終了時間を変更する指示を行う（ステップＳ１６）。
【００５２】
具体的には、緊急放送後に、緊急地震速報が報じられた時点で視聴していたテレビ番組が再開される場合には、再開後、その番組が終了する時刻を録画終了時間とする。一方で、緊急地震速報が報じられた時点で視聴していたテレビ番組が再開されない場合もあり得る。この場合には、適当な時刻を指定するようにしておく（すぐ録画を終了するようにしてもよい）。
【００５３】
なお、緊急地震速報が報じられた時点で視聴していたテレビ番組に関する番組情報（例えば、番組名、番組開始時間、番組終了時間等）は記憶部１２に記憶しておく構成としているために、更新されたＥＰＧデータを見れば、以上の判断を行うことが可能である。
【００５４】
一方、緊急放送検知部１１４によって緊急放送が開始されていないと確認された場合には、録画終了時間の変更は行われない。
【００５５】
次に、番組の録画を終了する時間であるか否かが確認される（ステップＳ１７）。なお、この確認は、本実施形態においては制御部１１によって行われ、時刻はテレビジョン受像機１に内蔵される時計（図示せず）によって把握される。
【００５６】
録画終了時間でない場合には、ステップＳ１５からステップＳ１７までが繰り返される。録画終了時間の場合には、録画処理部２３による録画処理が終了する。以上のように、第２実施形態のテレビジョン受像機１によれば、緊急地震放送が報じられると、現在視聴中のテレビ番組について自動的に録画処理が行われるように指示を与える構成となっている。更に、緊急放送が放送された場合には、緊急放送の放送時間等に応じて録画終了時刻を変更する構成としている。このために、地震発生時においてもテレビ番組を見逃さない確率を高められる。
【００５７】
（その他）
以上に示した実施形態は例示であって、本発明は、以上に示した実施形態に限定されるものではなく、本発明の目的を逸脱しない範囲で種々の変更が可能である。
【００５８】
以上に示した第１及び第２実施形態においては、緊急地震速報を検知した場合に録画開始の指示とともに、録画終了時間についても指示する構成とした。しかし、この構成に限定される趣旨ではなく、録画終了時間については指示しない構成としてもよい。この場合でも、緊急地震速報が報じられた際に視聴していたテレビ番組は自動録画されるために、そのテレビ番組を見逃さないようにできる。ただし、本実施形態のように視聴中のテレビ番組が終了した時点で録画を終了する方が、見る予定のないテレビ番組の録画を行わずに済むために好ましい。
【００５９】
また、以上に示した第２実施形態においては、緊急放送が放送されている時間についても録画を行う構成となっている。しかし、この構成に限定される趣旨ではない。すなわち、緊急放送が開始された時点で一旦録画停止を行い、例えばＥＰＧデータを参照する等によって、緊急放送が終了して先に視聴していたテレビ番組が再開される時点で、録画を再開する構成等としても構わない。
【００６０】
また、以上に示した第１及び第２実施形態においては、テレビジョン受像機に録画装置（録画処理部）が内蔵される構成を示した。しかし、この構成に限定される趣旨ではない。すなわち、テレビジョン受像機は録画機能を有さない構成としてもよい。この場合には、例えば、ＲＳ２３２Ｃ、ＨＤＭＩ、ＵＳＢ、ＬＡＮ、無線等の通信手段によって、テレビジョン受像機と録画装置（例えばＤＶＤレコーダやビデオテープレコーダなど）を接続すれば、テレビジョン受像機から録画装置に自動録画の指示を与えられ、緊急地震速報が報じられた時点で視聴中のテレビ番組を見逃さないようにできる。
【００６１】
また、以上に示した第１及び第２実施形態においては、テレビジョン放送がデジタル放送である場合について示したが、これに限定されず、テレビジョン放送がアナログ放送の場合でも本発明は適用可能である。アナログ放送の場合にも、付加情報から緊急地震速報の検知が可能である。
【００６２】
なお、アナログ放送の場合には、ＥＰＧデータをリアルタイムで検出することはできないので、緊急放送が挿入された場合に第２実施形態に示した方法で録画時間を変更することはできない。このために、例えば、緊急放送が開始された時点で録画終了時間を所定の時間だけ延長する（或いは録画終了時刻の設定を無しとする）構成等としてもよい。
【産業上の利用可能性】
【００６３】
本発明のテレビジョン受像機は、緊急地震速報が報じられると、その時点で視聴中のテレビ番組について、自動録画するように指示を行う。このために、緊急地震速報が報じられた時点で視聴していたテレビ番組を見逃さないようにでき、産業上有用なテレビジョン受像機である。
【図面の簡単な説明】
【００６４】
【図１】は、第１実施形態のテレビジョン受像機の構成を示すブロック図である。
【図２】は、第１実施形態のテレビジョン受像機が備える制御部において、緊急地震速報が報じられた場合に、視聴中のテレビ番組の自動録画を可能とする構成要素を示したブロック図である。
【図３】は、第１実施形態のテレビジョン受像機において、テレビ番組の視聴中に緊急地震速報が報じられた場合に、視聴中のテレビ番組の自動録画が行われる手順を示したフローチャートである。
【図４】は、第２実施形態のテレビジョン受像機が備える制御部において、緊急地震速報が報じられた場合に、視聴中のテレビ番組の自動録画を可能とする構成について示したブロック図である。
【図５】は、第２実施形態のテレビジョン受像機において、テレビ番組の視聴中に緊急地震速報が報じられた場合に、視聴中のテレビ番組の自動録画が行われる手順を示したフローチャートである。
【符号の説明】
【００６５】
１              テレビジョン受像機
１４            チューナ（放送受信手段）
１５            信号処理部（付加情報取得手段の一部）
１６            デコーダ（付加情報取得手段の一部）
２３            録画処理部
１１２          緊急地震速報検知部
１１３、１１５  録画指示部
１１４          緊急放送検知部
【図１】
2009105796.tif 000003
【図２】
2009105796.tif 000004
【図３】
2009105796.tif 000005
【図４】
2009105796.tif 000006
【図５】
2009105796.tif 000007